(57)【要約】【課題】アウターハウジングの背面側開口部と背面側開口部を施蓋するインナーハウジングの蓋体との間を溶着させて密封するジャックを提供する。【解決手段】バネ端子を、インナーハウジングに取り付けられるバネ片部と、アウターハウジングを貫通し、先端部がインナーハウジングと共にアウターハウジングに挿入されるバネ片部に接触する脚部の一対に分割する。アウターハウジング内に挿入するインナーハウジングに脚部が取り付けられていないので、脚部との干渉を避ける逃げ溝をアウターハウジングに形成する必要がなく、アウターハウジングの背面側開口部と背面側開口部を施蓋するインナーハウジングの蓋体とを溶着させて、レーザー透過溶着や超音波溶着で密封することができる。【選択図】図２
2017041394.tif 000002
【特許請求の範囲】
【請求項１】
プラグの挿入方向に沿って、正面のプラグ挿入開口部から背面の背面側開口部まで連通するプラグ挿入室がプラグ挿入方向に沿って凹設された絶縁性のアウターハウジングと、
それぞれプラグ挿入室に挿入されるプラグの異なる接触位置に弾性接触するバネ片部と、アウターハウジングの外方に露出してプリント配線基板の対応する導電パターンに半田接続する脚部とを有する複数のバネ端子と、
アウターハウジングの背面側開口部を施蓋する蓋体と、プラグ挿入室内に収容され、前記複数のバネ端子を位置決め支持する端子支持部とを有する絶縁性のインナーハウジングとを備えたジャックであって、
前記複数の各バネ端子を、端子支持部に位置決め支持される固定片部と固定片部に一体に連結され、プラグ挿入室内のプラグ挿入経路に進退自在に支持されるバネ接触部とを有するバネ片部と、アウターハウジングを貫通し、先端部が端子支持部に挿入される脚部とからなる一対に分割し、
アウターハウジングに、その外周面からプラグ挿入室に収容される各バネ片部の固定片部に向かってそれぞれ貫通する複数の脚部貫通孔を穿設し、
背面側開口部を通してプラグ挿入室に収容される端子支持部に脚部貫通孔を貫通させた脚部の先端部を挿入し、インナーハウジングを背面側開口部から抜け止めし、
背面側開口部を通してインナーハウジングの端子支持部と共にプラグ挿入室に収容される各バネ片部の固定片部に、脚部貫通孔を貫通させた対となる脚部の先端部を接触させることを特徴とするジャック。
【請求項２】
端子支持部に、脚部貫通孔を貫通させた脚部の先端部を挿入し、脚部をプラグの挿入方向に対して位置決めする位置決め凹部を形成し、
固定片部の一部を位置決め凹部へ臨ませて、位置決め凹部内で固定片部に対となる脚部の先端部を接触させることを特徴とする請求項１に記載のジャック。
【請求項３】
背面側開口部と蓋体の間がレーザー透過溶着若しくは超音波溶着により接合封止され、脚部貫通孔から外方に突出する脚部の周囲が防水性接着層で覆われ、プラグ挿入開口部を除いてプラグ挿入室が密封されることを特徴とする請求項１又は請求項２のいずれか1項に記載のジャック。
【請求項４】
脚部貫通孔は、アウターハウジングの外周面に凹設される封止用凹部で囲まれ、封止用凹部が防水性接着層で満たされることを特徴とする請求項３に記載のジャック。
【請求項５】
プラグの挿入方向に沿って、正面のプラグ挿入開口部から背面の背面側開口部まで連通するプラグ挿入室がプラグ挿入方向に沿って凹設された絶縁性のアウターハウジングと、
それぞれプラグ挿入室に挿入されるプラグの異なる接触位置に弾性接触するバネ片部と、アウターハウジングの外方に露出してプリント配線基板の対応する導電パターンに半田接続する脚部とを有する複数のバネ端子と、
アウターハウジングの背面側開口部を施蓋する蓋体と、プラグ挿入室内に収容され、前記複数のバネ端子を位置決め支持する端子支持部とを有する絶縁性のインナーハウジングとを備えたジャックの組み立て方法であって、
（１）複数の各バネ端子を、端子支持部に位置決め支持される固定片部と固定片部に一体に連結され、プラグ挿入室内のプラグ挿入経路に進退自在に支持されるバネ接触部とを有するバネ片部と、アウターハウジングを貫通し、先端部が端子支持部に挿入される脚部とからなる一対に分割し、
（２）アウターハウジングに、その外周面からプラグ挿入室に収容される各バネ片部の固定片部に向かってそれぞれ貫通する複数の脚部貫通孔を穿設し、
（３）インナーハウジングの端子支持部に、複数の各バネ片部の固定片部を、バネ接触部がプラグ挿入経路に進退自在に支持されるように位置決め支持し、
（４）全てのバネ端子のバネ片部を取り付けたインナーハウジングの端子支持部を、アウターハウジングの背面側開口部を通してプラグ挿入室に収容した後、アウターハウジングの背面側開口部を蓋体で施蓋し、
（５）複数の各脚部を、それぞれ脚部貫通孔に貫通し、その先端部をプラグ挿入室に収容したインナーハウジングの端子支持部内に挿入し、インナーハウジングを背面側開口部から抜け止めするとともに、
（６）背面側開口部を通してインナーハウジングと共にプラグ挿入室に収容される対となるバネ片部の固定片部に、脚部貫通孔を貫通させた脚部の先端部を接触させることを特徴とするジャックの組み立て方法。
【請求項６】
背面側開口部と蓋体の間をレーザー透過溶着若しくは超音波溶着により接合封止し、脚部貫通孔から外方に突出する脚部の周囲を防水性接着層で覆い、プラグ挿入開口部を除いてプラグ挿入室を密封したことを特徴とする請求項５に記載のジャックの組み立て方法。
【発明の詳細な説明】
【技術分野】
【０００１】
本発明は、各種電子機器の筐体に配置されるプリント配線基板に実装され、相手側のプラグと接続して電子機器とオーディオ信号やビデオ信号を入出力するジャックに関する。
【背景技術】
【０００２】
従来、ジャックのハウジングを、絶縁性のアウターハウジングとアウターハウジング内に収容されるインナーハウジングの２部品から構成し、プラグの異なる接触位置にそれぞれ接触する複数のバネ端子を取り付けたインナーハウジングをアウターハウジング内に挿入して組み立てるジャックが知られている。
【０００３】
以下、この従来のジャック１００の一例を図１０、図１１で説明する。１０１は、絶縁性のアウターハウジングであり、全体が角筒状に形成されることにより、プラグの挿入方向に沿って図中左上方の正面のプラグ挿入開口部（図示せず）から背面側開口部１０２まで連通するプラグ挿入室１０３が形成されている。
【０００４】
ジャック１００は、アウターハウジング１０１の底面１０１ａをプリント配線基板上に配置してプリント配線基板に実装されるもので、アウターハウジング１０１の側方に突設された一対のフランジ１０４とプリント配線基板を貫通する取り付けネジによってプリント配線基板上に取り付けられる。
【０００５】
インナーハウジング１０５は、アウターハウジング１０１の背面側開口部１０２を施蓋する蓋体１０６と蓋体１０６の両側からプラグ挿入開口部に向かって突設された一対の端子支持部１０７とによってコの字状に形成されている。このインナーハウジング１０５は、一対の端子支持部１０７を背面側開口部１０２からプラグ挿入室１０３内に挿入してアウターハウジング１０１に収容され、一対の端子支持部１０７がプラグ挿入室１０３の両側に沿って収容されることにより、その間にプラグ挿入開口部に連通するプラグ挿入孔１０８が形成される。
【０００６】
相手側のプラグ（図示せず）は、その長手方向に沿って先端側から互いに絶縁されたチップ電極、第１リング電極、第２リング電極、スリーブ電極が露出し、インナーハウジング１０５には、プラグ挿入孔１０８に挿入されるプラグのこれらの各電極の露出位置に対応させて、第１チップ端子１０９、第２チップ端子１１０、第１リング端子１１１、第２リング端子１１２、スリーブ端子１１３の５本のバネ端子が取り付けられる。すなわち、各バネ端子は、そのバネ接触部１０９ａ、１１０ａ、１１１ａ、１１２ａ、１１３ａがプラグ挿入孔１０８に挿入されるプラグの対応する各電極に弾性接触するように、プラグ挿入孔に進退自在に端子支持部１０７に位置決め支持される。従って、プラグをプラグ挿入開口部からプラグ挿入孔１０８へ挿入すると、チップ電極に第１チップ端子１０９と第２チップ端子１１０が、第１リング電極に第１リング端子１１１が、第２リング電極に第２リング端子１１２が、スリーブ電極にスリーブ端子１１３がそれぞれ電気接続する。
【０００７】
各バネ端子は、アウターハウジング１０１の底面側の外方に露出し、底面で対向するプリント配線基板の対応する導電パターンに半田接続する脚部１０９ｂ、１１０ｂ、１１１ｂ、１１２ｂ、１１３ｂを備えている。一方、バネ端子は、インナーハウジング１０５に取り付けられた状態で、アウターハウジング１０１のプラグ挿入室１０３内に収容されるので、アウターハウジング１０１の底面には、インナーハウジング１０５を挿入する際のバネ端子の挿入軌跡に沿って、これらの各脚部１０９ｂ、１１０ｂ、１１１ｂ、１１２ｂ、１１３ｂとの干渉を避ける逃げ溝１１４が形成されている。
【０００８】
複数のバネ端子１０９〜１１３と端子支持部１０７をプラグ挿入室１０３へ収容した状態で、蓋体１０６の周囲とアウターハウジング１０１の背面側開口部１０２の内側面間を接着剤により接着し、インナーハウジング１０５とアウターハウジング１０１間を固着してジャック１００を組み立てる。
【０００９】
このように構成されたジャック１００は、相手側をプラグを挿入させるために、プラグ挿入開口部を電子機器の筐体から外方に臨ませているが、雨水、水滴等がプラグ挿入開口部とプラグ挿入室１０３から電子機器の筐体内に侵入することがあり、これを防止する防水機能を備える場合には、図１１に示すように、蓋体１０６の周囲とアウターハウジング１０１の背面側開口部１０２の内側面間を接着する接着剤に防水性の接着剤を用いて、その間の隙間を覆うと共に、底面側で、バネ端子の各脚部１０９ｂ、１１０ｂ、１１１ｂ、１１２ｂ、１１３ｂが突出する逃げ溝１１４の全体も防水性接着剤で封止している。
【００１０】
一方、防水性接着剤によって、底面と背面の２面の位置で封止する工程上の煩わしさを避けるため、従来、背面側の一面のみに防水性接着剤で封止するようにしたジャック１２０も知られている（特許文献１）。この従来のジャック１２０は、図１２に示すように、絶縁性のアウターハウジング１２１の内部が、プラグ挿入方向に沿って図中右上方の正面のプラグ挿入開口部（図示せず）から背面の背面側開口部１２２まで連通するプラグ挿入室となった角筒状に形成されている。プラグ挿入室内のプラグ挿入孔に挿入されるプラグの各電極と接触する複数の各バネ端子１２３は、背面側開口部１２２を通してアウターハウジング１２１の内壁面に形成された取付溝に圧入して取り付けられ、その自由端側のバネ接触部がプラグ挿入孔に進退自在となっている。
【００１１】
全てのバネ端子１２３の脚部は、アウターハウジング１２１の背面側の背面側開口部１２２から外方に引き出され、互いに接触せず、その先端がアウターハウジング１２１の底面と平行な面に沿うように折り曲げ加工し、対向位置に露出するプリント配線基板の導電パターンへ半田接続させている。アウターハウジング１２１の背面側の背面側開口部１２２は、背面側開口部１２２に嵌合する蓋体１２４を接着して固定し、プラグ挿入室の背面側を蓋体１２４で覆うとともに、プラグ挿入室内に取り付けられた各バネ端子１２３を抜け止め固定する。
【００１２】
アウターハウジング１２１に取り付けられた各バネ端子１２３の脚部は、蓋体１２４に形成された凹部やスリットを挿通して外方に引き出されるので、アウターハウジング１２１の底面を含む外周面には、ジャック１００の逃げ溝１１４のように、バネ端子１２３との干渉を避けるスリットや窓孔が形成されない。従って、アウターハウジング１２１の背面側開口部１２２と蓋体１２４で囲われる封止用凹部１２５に防水用接着剤を充填することにより、蓋体１２３とバネ端子１２３間の隙間や蓋体１２４と背面側開口部１２２の内壁面との隙間が防水性接着層で密封され、背面側の１面のみを封止する工程で防水機能を備えたジャック１２０が得られる。
【先行技術文献】
【特許文献】
【００１３】
【特許文献１】特開２０１３−２２５３８６号公報
【発明の概要】
【発明が解決しようとする課題】
【００１４】
上述の従来のジャック１００は、アウターハウジング１０１とアウターハウジング１０１内に収容されるインナーハウジング１０５との間にプラグ挿入方向に沿った遊びがあると、インナーハウジング１０５に取り付けられた各バネ端子のバネ接触部１０９ａ、１１０ａ、１１１ａ、１１２ａ、１１３ａとプラグとの接触位置に位置ずれが生じるので、アウターハウジング１０１とインナーハウジング１０５とを固着する接着工程が必要となる。
【００１５】
また、ジャック１００に防水機能を備える場合には、各バネ端子の脚部１０９ｂ、１１０ｂ、１１１ｂ、１１２ｂ、１１３ｂが突出するアウターハウジング１０５の底面１０１ａとバネ端子を挿入する為の背面側開口部１０２の直交する２面について密閉する防水処理を行う必要がある。一方、このジャック１００のこれらの２面には、インナーハウジング１０５をアウターハウジング１０１内に収容する工程で、アウターハウジング１０５の背面側開口部１０２や底面１０１ａの一部に、アウターハウジング１０５内に挿入する各バネ端子の脚部１０９ｂ、１１０ｂ、１１１ｂ、１１２ｂ、１１３ｂとの干渉を避ける逃げ溝１１４等のスリットが形成されているので、密着面の相互を溶着して密閉するレーザー溶着や超音波溶着を用いることができず、結局、防水性接着剤を付着させて密封する防水処理に限られていた。
【００１６】
しかしながら、防水性接着剤を付着させる防水処理は、防水性接着剤を溜めた接着剤溜まりに防水処理を行うジャック１００の面を浸漬させて行うので、防水処理のための余分な作業スペースが必要になると共に、上記逃げ溝１１４等のスリットから防水性接着剤の一部がプラグ収容室内に流れ込み、バネ接触部１０９ａ、１１０ａ、１１１ａ、１１２ａ、１１３ａに付着してプラグとの接続不良が生じる恐れがあった。
【００１７】
従来のジャック１２０によれば、全てのバネ端子１２３の脚部を、アウターハウジング１２１の背面側の一面から外方に臨ませるので、背面のみの防水処理で防水機能を備えることができるが、多数のバネ端子１２３の脚部が挿通する背面側開口部１２２を蓋体１２４で覆うので、蓋体１２４に取付の際にバネ端子１２３の脚部と干渉しないスリットや凹部を形成する必要がある。従って、レーザー溶着や超音波溶着ではこれらの開口を密閉できず、結局、上述のように、封止用凹部１２５に防水用接着剤を充填させる防水処理を行うこととなり、蓋体１２４のスリットや凹部からアウターハウジング１２１内に防水性接着剤が侵入する恐れのあった。
【００１８】
また、防水機能の有無にかかわらず、バネ端子１２３のプリント配線基板の導電パターンとの半田接続位置がジャック１２０の背面側に集中するので、多数のバネ端子１２３や導電パターンが互いに接触しないようにその形状や配置位置や配線位置を検討しなければならず、設計に多くの制約が生じていた。
【００１９】
更に、バネ接触部が正面側にあるバネ端子１２３の脚部を背面側開口部１２２まで引き出さなければならないので、プラグの挿入方向に沿った長さが長くなり、金属材料で形成するバネ端子１２３が大型化し、部品コストも上昇していた。
【００２０】
本発明は、このような従来の問題点を考慮してなされたものであり、アウターハウジング内に収容されるインナーハウジングを接着工程を要せずに固定するジャックを提供することを目的とする。
【００２１】
また、複数のバネ端子の脚部をプリント配線基板に対向するアウターハウジングの底面に露出させても、アウターハウジングやアウターハウジングとインナーハウジングとの隙間に開口が残らず、防水性接着剤で密封しても、防水性接着剤がアウターハウジング内に侵入することがないジャックを提供することを目的とする。
【００２２】
また、アウターハウジングの背面側開口部と背面側開口部を施蓋するインナーハウジングの蓋体との間を溶着して密封するジャックを提供することを目的とする。
【課題を解決するための手段】
【００２３】
上述の目的を達成するため、請求項１に記載のジャックは、プラグの挿入方向に沿って、正面のプラグ挿入開口部から背面の背面側開口部まで連通するプラグ挿入室がプラグ挿入方向に沿って凹設された絶縁性のアウターハウジングと、それぞれプラグ挿入室に挿入されるプラグの異なる接触位置に弾性接触するバネ片部と、アウターハウジングの外方に露出してプリント配線基板の対応する導電パターンに半田接続する脚部とを有する複数のバネ端子と、アウターハウジングの背面側開口部を施蓋する蓋体と、プラグ挿入室内に収容され、複数のバネ端子を位置決め支持する端子支持部とを有する絶縁性のインナーハウジングとを備えたジャックであって、
複数の各バネ端子を、端子支持部に位置決め支持される固定片部と固定片部に一体に連結され、プラグ挿入室内のプラグ挿入経路に進退自在に支持されるバネ接触部とを有するバネ片部と、アウターハウジングを貫通し、先端部が端子支持部に挿入される脚部とからなる一対に分割し、アウターハウジングに、その外周面からプラグ挿入室に収容される各バネ片部の固定片部に向かってそれぞれ貫通する複数の脚部貫通孔を穿設し、背面側開口部を通してプラグ挿入室に収容される端子支持部に脚部貫通孔を貫通させた脚部の先端部を挿入し、インナーハウジングを背面側開口部から抜け止めし、背面側開口部を通してインナーハウジングの端子支持部と共にプラグ挿入室に収容される各バネ片部の固定片部に、脚部貫通孔を貫通させた対となる脚部の先端部を接触させることを特徴とする。
【００２４】
各バネ端子の脚部の先端部は、プラグ挿入室に収容される対となるバネ片部の固定片部に接触し、インナーハウジングの端子支持部と共にプラグ挿入室に収容されるバネ片部とアウターハウジングを貫通する脚部が電気接続する。
【００２５】
アウターハウジングの脚部貫通孔を貫通する各バネ端子の脚部の先端部をインナーハウジングの端子支持部内に挿入するので、インナーハウジングは、接着剤で固定することなく、アウターハウジングの背面側開口部から抜け止めされる。
【００２６】
各バネ端子の脚部は、プラグ挿入方向に沿ってプラグ挿入室に挿入されるものではないので、アウターハウジングの背面側開口部や外周面に、バネ端子の脚部と干渉しない為のプラグ挿入方向に沿った開口を設ける必要がなく、アウターハウジングの背面側開口部に蓋体は隙間なく密着し、アウターハウジングの外周面に開口が残らない。
【００２７】
請求項２に記載のジャックは、端子支持部に、脚部貫通孔を貫通させた脚部の先端部を挿入し、脚部をプラグの挿入方向に対して位置決めする位置決め凹部を形成し、固定片部の一部を位置決め凹部へ臨ませて、位置決め凹部内で固定片部に対となる脚部の先端部を接触させることを特徴とする。
【００２８】
アウターハウジングの脚部貫通孔を貫通する各バネ端子の脚部の先端部がインナーハウジングの位置決め凹部に挿入されるので、アウターハウジング内に収容されるインナーハウジングを、プラグの挿入方向に対してがたつきなく位置決めする。
【００２９】
請求項３に記載のジャックは、背面側開口部と蓋体の間がレーザー透過溶着若しくは超音波溶着により接合封止され、脚部貫通孔から外方に突出する脚部の周囲が防水性接着層で覆われ、プラグ挿入開口部を除いてプラグ挿入室が密封されることを特徴とする。
【００３０】
アウターハウジングの背面側開口部に、各バネ端子の脚部をプラグ挿入室へ挿入するためのスリットを形成しないので、背面側開口部にインナーハウジングの蓋体が隙間なく密着し、境界面の相互を溶着して密閉するレーザー溶着や超音波溶着を用いることができる。
【００３１】
請求項４に記載のジャックは、脚部貫通孔が、アウターハウジングの外周面に凹設される封止用凹部で囲まれ、封止用凹部が防水性接着層で満たされることを特徴とする。
【００３２】
脚部貫通孔の周囲が防水性接着層で満たされるので、脚部貫通孔を貫通するバネ端子の脚部とアウターハウジングの境界が密封される。
【００３３】
防水性接着層は、アウターハウジングの外周面に凹設される封止用凹部に形成されるので、プリント配線基板への実装面に防水性接着層が膨出しない。
【００３４】
請求項５に記載のジャックの組み立て方法は、プラグの挿入方向に沿って、正面のプラグ挿入開口部から背面の背面側開口部まで連通するプラグ挿入室がプラグ挿入方向に沿って凹設された絶縁性のアウターハウジングと、それぞれプラグ挿入室に挿入されるプラグの異なる接触位置に弾性接触するバネ片部と、アウターハウジングの外方に露出してプリント配線基板の対応する導電パターンに半田接続する脚部とを有する複数のバネ端子と、アウターハウジングの背面側開口部を施蓋する蓋体と、プラグ挿入室内に収容され、前記複数のバネ端子を位置決め支持する端子支持部とを有する絶縁性のインナーハウジングとを備えたジャックの組み立て方法であって、
（１）複数の各バネ端子を、端子支持部に位置決め支持される固定片部と固定片部に一体に連結され、プラグ挿入室内のプラグ挿入経路に進退自在に支持されるバネ接触部とを有するバネ片部と、アウターハウジングを貫通し、先端部が端子支持部に挿入される脚部とからなる一対に分割し、
（２）アウターハウジングに、その外周面からプラグ挿入室に収容される各バネ片部の固定片部に向かってそれぞれ貫通する複数の脚部貫通孔を穿設し、
（３）インナーハウジングの端子支持部に、複数の各バネ片部の固定片部を、バネ接触部がプラグ挿入経路に進退自在に支持されるように位置決め支持し、
（４）全てのバネ端子のバネ片部を取り付けたインナーハウジングの端子支持部を、アウターハウジングの背面側開口部を通してプラグ挿入室に収容した後、アウターハウジングの背面側開口部を蓋体で施蓋し、
（５）複数の各脚部を、それぞれ脚部貫通孔に貫通し、その先端部をプラグ挿入室に収容したインナーハウジングの端子支持部内に挿入し、インナーハウジングを背面側開口部から抜け止めするとともに、
（６）背面側開口部を通してインナーハウジングと共にプラグ挿入室に収容される対となるバネ片部の固定片部に、脚部貫通孔を貫通させた脚部の先端部を接触させることを特徴とする。
【００３５】
各バネ端子の脚部の先端部は、インナーハウジングの端子支持部と共にプラグ挿入室に収容される対となるバネ片部の固定片部に接触し、各バネ端子の一対に分割したバネ片部と脚部が電気接続する。
【００３６】
アウターハウジングの脚部貫通孔を貫通する各バネ端子の脚部の先端部がインナーハウジングの端子支持部内に挿入するので、インナーハウジングは、接着剤で固定することなく、アウターハウジングの背面側開口部から抜け止めされる。
【００３７】
各バネ端子の脚部は、アウターハウジングの脚部貫通孔を貫通し、プラグ挿入方向に沿ってインナーハウジングと共にプラグ挿入室に挿入されるものではないので、アウターハウジングの背面側開口部や外周面に、脚部を挿入する軌跡に沿った開口が残らない。
【００３８】
請求項６に記載のジャックの組み立て方法は、背面側開口部と蓋体の間をレーザー透過溶着若しくは超音波溶着により接合封止し、脚部貫通孔から外方に突出する脚部の周囲を防水性接着層で覆い、プラグ挿入開口部を除いてプラグ挿入室を密封したことを特徴とする。
【００３９】
アウターハウジングの背面側開口部に、各バネ端子の脚部をプラグ挿入室へ挿入するためのスリットを形成しないので、背面側開口部にインナーハウジングの蓋体が隙間なく密着し、境界面の相互を溶着して密閉するレーザー溶着や超音波溶着を用いることができる。
【発明の効果】
【００４０】
請求項１と請求項５の発明によれば、各バネ端子のバネ片部を取り付けたインナーハウジングを、接着剤を用いずに、アウターハウジング内に収容した状態に組み立てることができる。インナーハウジングやバネ端子の脚部とアウターハウジングとの境界を密封する工程を加えるだけで、防水機能を備えるジャックが得られるので、防水機能の有無にかかわらず、共通のジャックを兼用できる。
【００４１】
周囲が解放されたインナーハウジングの端子支持部へ複数の各バネ端子のバネ片部を取り付けるので、バネ接触部をプラグ挿入経路に進退自在に支持するバネ片部の取付を同方向から容易に行うことができる。
【００４２】
インナーハウジングとインナーハウジングに取り付けられる複数のバネ端子のバネ片部を共通部品として、取り付け位置や外形に合わせたアウターハウジングに交換して種々のジャックが得られる。
【００４３】
半田接続するプリント配線基板の導電パターンの露出位置に合わせて、アウターハウジングの外周面からバネ端子の脚部を露出させることができるので、バネ端子の形状や取り付け位置、導電パターンの配線位置などが制約されない。また、プリント配線基板に対向するアウターハウジングの外周面に、複数のバネ端子の脚部を露出させても、アウターハウジングの外周面に開口が残らないので、防水機能を備えるために、防水性接着剤で密封させても、防水性接着剤がアウターハウジング内に侵入しない。
【００４４】
請求項２の発明によれば、各バネ端子が取り付けられるインナーハウジングが、プラグ挿入方向に沿ってがたつきなくアウターハウジングに取り付けられるので、各バネ端子のバネ接触部がプラグ挿入室に挿入されるプラグの対応する接触位置に正確に弾性接触する。
【００４５】
請求項３と請求項６の発明によれば、ジャックの背面側の密封処理に、防水性接着層を形成する接着工程を用いないので、防水性接着剤を溜めた接着剤溜まりにジャックの背面を浸漬させる防水処理のための余分な作業スペースが不要となる。
【００４６】
請求項４の発明によれば、ジャックのプリント配線基板への実装面に影響することなく、プリント配線基板との対抗面を防水処理することができる。
【図面の簡単な説明】
【００４７】
【図１】本願発明の第１実施の形態に係るジャック１がプリント配線基板５０に表面実装された状態をプラグを挿入する前方からみた斜視図である。
【図２】ジャック１の各部を斜め後方かみた分解斜視図である。
【図３】インナーハウジング２に各バネ端子５〜９を取り付ける状態を示す分解斜視図である。
【図４】各バネ端子５〜９を取り付けたインナーハウジング２をアウターハウジング３へ収容する組み立て工程を示す斜視図である。
【図５】アウターハウジング３へ各バネ端子５〜９の脚部５Ｂ〜９Ｂを組み付ける工程を示す斜視図である。
【図６】アウターハウジング３内で端子支持部２２に各バネ端子５〜９の脚部５Ｂ〜９Ｂを組み付けた状態を示す斜視図である。
【図７】ジャック１を底面側からみた斜視図である。
【図８】防水処理を行ったジャック１を底面側からみた斜視図である。
【図９】第２実施の形態に係るジャック４０の斜視図である。
【図１０】従来のジャック１００の組み立て工程を示す斜視図である。
【図１１】防水処理を行ったジャック１００の斜視図である。
【図１２】従来のジャック１２０を示す斜視図である。
【発明を実施するための形態】
【００４８】
以下、本発明の第１の実施の形態に係るジャック１とその組み立て方法を、図１乃至図８を用いて説明する。尚、本明細書では、相手側のプラグを挿入するジャック１の正面側（図１の左下方）を前方と、プラグの挿入方向に沿った背面側を後方と、プリント配線基板５０に対向する底面側を下方と、平面側を上方と、両側面の方向を左右方向として、ジャック１の各部を説明する。
【００４９】
本実施の形態に係るジャック１は、絶縁材料の合成樹脂を射出成形してコの字状に形成されるインナーハウジング２と、絶縁材料の合成樹脂を射出成形して筒状に形成されるアウターハウジング３と、燐青銅等の導電性金属板をプレス加工して形成される第１チップ端子５、第２チップ端子６、第１リング端子７、第２リング端子８及びスリーブ端子９の５本のバネ端子から構成され、各バネ端子５〜９は、図２に示すように、それぞれ対となるバネ片部５Ａ〜９Ａと脚部５Ｂ〜９Ｂに分割して製造される。
【００５０】
アウターハウジング３は、外形が直方体状の角筒本体３ａと角筒本体３ａから前方に一体に突設された円筒状スリーブ３ｂとからなり、円筒状スリーブ３ｂ内に同軸上にプラグ挿入開口部３１が形成されている。また、角筒本体３ａ内は、直方体状の中空のプラグ挿入室３０となっていて、その前方がプラグ挿入開口部３１に連通することにより、プラグ挿入開口部３１からプラグ挿入室３０内に前後方向に沿ってプラグが挿入されるようになっている。プラグ挿入室３０の後方は、長方形状の輪郭の背面側開口部３２で角筒本体３ａの背面側に開口している。
【００５１】
角筒本体３ａの底面の５カ所の位置には、それぞれバネ端子５〜９の脚部５Ｂ〜９Ｂを底面からプラグ挿入室３０内まで上下方向に貫通させる脚部貫通孔３３が穿設されている。脚部貫通孔３３が穿設される５カ所の各位置は、後述するインナーハウジング２の蓋体２１が角筒本体３ａの背面に当接して端子支持部２２がプラグ挿入室３０に収容される状態で、端子支持部２２に形成される５カ所の位置決め凹部２３のそれぞれ下方であり、これにより、脚部貫通孔３３と位置決め凹部２３は上下方向で連通し、図５、図６に示すように、脚部貫通孔３３を貫通する脚部５Ｂ〜９Ｂの先端部（上端部）が位置決め凹部２３内に挿入される。
【００５２】
図４に示すように、位置決め凹部２３は、左右一対の端子支持部２２Ｒ、２２Ｌの３カ所と２カ所の位置に分かれて形成されているので、その下方に穿設される脚部貫通孔３３も、図５に示すように、角筒本体３ａの底面の前後方向に沿った２列の位置に分かれ、各列の脚部貫通孔３３を囲うように、角筒本体３ａの底面の左右両側に前後方向を長手方向とする封止用凹部３４、３４が凹設されている。封止用凹部３４、３４は、後述するように、ジャック１を防水機能を備えたジャック１’とする場合に、防水性接着層１２で満たして、バネ端子５〜９の脚部５Ｂ〜９Ｂと脚部貫通孔３３間の隙間を密封させるものである。
【００５３】
インナーハウジング２は、角筒本体３ａの背面の輪郭と同形状の輪郭でアウターハウジング３の背面側開口部３２を施蓋する蓋体２１と、蓋体２１の左右両側から前方に一体に突設された一対の端子支持部２２Ｒ、２２Ｌとからなり、一対の端子支持部２２Ｒ、２２Ｌの外側面間の間隔は、プラグ挿入室３０の左右方向の内径よりわずかに短く、一対の端子支持部２２Ｒ、２２Ｌがプラグ挿入室３０の内側面に沿って前方に挿入されるようになっている。一対の端子支持部２２Ｒ、２２Ｌの間は、プラグが挿抜されるプラグ挿入経路４となっていて、対向する内壁面は、プラグ挿入室３０に収容された状態で、プラグ挿入開口部３１を通してプラグ挿入室３０内を挿抜するプラグを前後方向に案内するように円筒面となっている。
【００５４】
プラグ挿入経路４に挿入されるプラグのスリーブ電極とチップ電極が露出する位置に対応して、図３において左側の端子支持部２２Ｌの前後に分かれた２カ所の位置には、スリーブ端子９のバネ片部９Ａと第２チップ端子６のバネ片部６Ａをそれぞれ位置決めして取り付ける取付溝２４が上下に貫通して形成されている。また、プラグ挿入経路４に挿入されるプラグの第２リング電極、第１リング電極及びチップ電極が露出する位置に対応して、右側の端子支持部２２Ｒの前後の３カ所に分かれた位置には、第２リング端子８のバネ片部８Ａ、第１リング端子７のバネ片部７Ａ及び第１チップ端子５のバネ片部５Ａをそれぞれ位置決めして取り付ける取付溝２４が上下に貫通して形成されている。
【００５５】
一対の端子支持部２２Ｒ、２２Ｌの各取付溝２４が形成された部位の外側面側には、各バネ端子５〜９の脚部５Ｂ〜９Ｂの先端部を挿入する位置決め凹部２３が上下方向に沿って凹設されている。各位置決め凹部２３の前後方向の幅は、その位置決め凹部２３に挿入される脚部５Ｂ〜９Ｂの前後方向の幅にほぼ等しく、従って、位置決め凹部２３に脚部５Ｂ〜９Ｂを挿入すると、前後方向に対して相対的に位置決めされる。
【００５６】
各位置決め凹部２３とその内側に形成された取付溝２４とは、位置決め凹部２３の上方で連通し、取付溝２４に取り付けられたバネ片部５Ａ〜９Ａの接続突片５Ａ３〜９Ａ３が位置決め凹部２３内に突出するようになっている。
【００５７】
第１チップ端子５のバネ片部５Ａは、長方形板状の固定片５Ａ１と、固定片５Ａ１の前方で内側にＵ字状に折り返された板バネ片５Ａ２と、固定片５Ａ１の一部を上方に向かって外側に切り起こして形成される接続突片５Ａ３とから構成され、図２に示すように、端子支持部２２Ｌの最後方に形成された取付溝２４に固定片５Ａ１を上方から圧入してインナーハウジング２に取り付けられる。インナーハウジング２に取り付けられた状態で、板バネ片５Ａ２の自由端側がプラグ挿入経路４に進退自在に臨み、接続突片５Ａ３の上端がその外側の位置決め凹部２３内に突出する。
【００５８】
第２チップ端子６のバネ片部６Ａは、第１チップ端子５のバネ片部５Ａと左右対称形状に形成された固定片６Ａ１と板バネ片６Ａ２と接続突片６Ａ３とから構成され、端子支持部２２Ｒの後方に形成された取付溝２４に固定片６Ａ１を上方から圧入してインナーハウジング２に取り付けられる。インナーハウジング２に取り付けられた状態で、板バネ片６Ａ２の自由端側が板バネ片５Ａ２と対向する位置からプラグ挿入経路４に進退自在に臨み、接続突片６Ａ３の上端がその外側の位置決め凹部２３内に突出する。
【００５９】
第１リング端子７のバネ片部７Ａは、縦長長方形板状の固定片７Ａ１と、固定片７Ａ１の下方で内側にＵ字状に折り返された板バネ片７Ａ２と、固定片７Ａ１の上端が開口する凹溝の下端から上方に向かって外側に切り起こして形成される接続突片７Ａ３とから構成され、端子支持部２２Ｌの中間位置に形成された取付溝２４に固定片７Ａ１を上方から圧入してインナーハウジング２に取り付けられる。インナーハウジング２に取り付けられた状態で、板バネ片７Ａ２の自由端側がプラグ挿入経路４に進退自在に臨み、接続突片７Ａ３の上端がその外側の位置決め凹部２３内に突出する。
【００６０】
第２リング端子８のバネ片部８Ａは、第１リング端子７のバネ片部７Ａと同形状に形成された固定片８Ａ１と、板バネ片８Ａ２と、接続突片８Ａ３とから構成され、端子支持部２２Ｌの前方に形成された取付溝２４に固定片８Ａ１を上方から圧入してインナーハウジング２に取り付けられる。インナーハウジング２に取り付けられた状態で、板バネ片７Ａ２の自由端側がプラグ挿入経路４に進退自在に臨み、接続突片７Ａ３の上端がその外側の位置決め凹部２３内に突出する。
【００６１】
スリーブ端子９のバネ片部９Ａは、縦長長方形板状の固定片９Ａ１と、固定片９Ａ１の前端に前方斜め内側に向かって連設されたＵ字状の板バネ片９Ａ２と、固定片９Ａ１の上端が開口する凹溝の下端から上方に向かって外側に切り起こして形成される接続突片９Ａ３とから構成され、端子支持部２２Ｒの前方に形成された取付溝２４に固定片９Ａ１を上方から圧入してインナーハウジング２に取り付けられる。インナーハウジング２に取り付けられた状態で、板バネ片９Ａ２の内端がプラグ挿入経路４に進退自在に臨み、接続突片９Ａ３の上端がその外側の位置決め凹部２３内に突出する。
【００６２】
各バネ端子５〜９の脚部５Ｂ〜９Ｂは、全て同形状に形成され、脚部貫通孔３３を貫通してその先端部が位置決め凹部２３に挿入される長方形板状の圧入板部５Ｂ１〜９Ｂ１と圧入板部５Ｂ１〜９Ｂ１の下端から直角に外方に折り曲げられた半田接続部５Ｂ２〜９Ｂ２とから構成されている。圧入板部５Ｂ１〜９Ｂ１の両側には、位置決め凹部２３の前後で対向する内壁面に係止して脚部５Ｂ〜９Ｂを抜け止めする係止突起１１が形成されている。
【００６３】
このように構成されたジャック１の組み立ては、始めに一対の端子支持部２２Ｌ、２２Ｒの５カ所の位置に形成された取付溝２４へ、それぞれ図２に示すように、バネ片部５Ａの固定片５Ａ１、バネ片部６Ａの固定片６Ａ１、バネ片部７Ａの固定片７Ａ１、バネ片部８Ａの固定片８Ａ１、バネ片部９Ａの固定片９Ａ１を上方から圧入して取り付ける。各固定片５Ａ１〜９Ａ１を取付溝２４へ取り付けた状態で、各バネ片部５Ａ〜９Ａの接続突片５Ａ３〜９Ａ３は、取付溝２４の上方で連通する位置決め凹部２３内に突出する。また、図４に示すように、第１チップ端子５の板バネ片５Ａ３と第２チップ端子６の板バネ片６Ａ３と第１リング端子７の板バネ片７Ａ３と第２リング端子８の板バネ片８Ａ３とスリーブ端子９の板バネ片９Ａ３は、それぞれ、プラグ挿入経路４に挿入されるプラグのチップ電極の両側、第１リング電極、第２リング電極及びスリーブ電極に弾性接触するように、プラグ挿入経路４内に突出する。
【００６４】
続いて、図４に示すように、全てのバネ端子５〜９のバネ片部５Ａ〜９Ａを一対の端子支持部２２Ｌ、２２Ｒへ取り付けたインナーハウジング２を、アウターハウジング３の背面側開口部３２からプラグ挿入室３０内に挿入し、蓋体２１が角筒本体３ａの背面に当接する位置で挿入を停止する。この挿入位置で、角筒本体３ａを貫通する脚部貫通孔３３と端子支持部２２Ｌ、２２Ｒに形成された位置決め凹部２３は、鉛直方向で連通する。
【００６５】
従って、この挿入位置で、５カ所の位置に穿設された脚部貫通孔３３へ、各脚部５Ｂ〜９Ｂの圧入板部５Ｂ１〜９Ｂ１を圧入すると、その先端部が位置決め凹部２３内に達して位置決め凹部２３内に突出するバネ片部５Ａ〜９Ａの接続突片５Ａ３〜９Ａ３に接触し、各バネ端子５〜９の対となるバネ片部５Ａ〜９Ａと脚部５Ｂ〜９Ｂ間が電気接続する。脚部貫通孔３３を貫通して位置決め凹部２３に挿入される圧入板部５Ｂ１〜９Ｂ１は、その両側の係止突起１１が位置決め凹部２３の前後方向で対向する内壁面に係止し、脚部貫通孔３３から抜け止めされ、その基端で直交する各脚部５Ｂ〜９Ｂの半田接続部５Ｂ２〜９Ｂ２は、角筒本体３ａの底面と同一面に沿って配置される。また、各脚部５Ｂ〜９Ｂの圧入板部５Ｂ１〜９Ｂ１と位置決め凹部２３の前後方向幅はほぼ等しいので、インナーハウジング２は、アウターハウジング３に対して前後方向に位置決めされ、一対の端子支持部２２Ｌ、２２Ｒがプラグ挿入室３０内に収容された状態でアウターハウジング３に組み付けられる。その結果、接着剤を用いずに、アウターハウジング３とインナーハウジング２を固定したジャック１を組み立てることができる。
【００６６】
このように組み立てたジャック１は、各バネ端子５〜９の半田接続部５Ｂ２〜９Ｂ２がアウターハウジング３の底面と同一面に配列されるので、アウターハウジング３の底面をプリント配線基板上に配置し、半田接続部５Ｂ２〜９Ｂ２を対向するプリント配線基板の導電パターンへ半田接続することにより、プリント配線基板に表面実装される。
【００６７】
尚、上述の組み立て工程において、一対の端子支持部２２Ｌ、２２Ｒへバネ端子５〜９のバネ片部５Ａ〜９Ａを取り付ける順や、各脚部５Ｂ〜９Ｂを脚部貫通孔３３に貫通させて取り付ける順は、任意である。
【００６８】
このジャック１を防水機能を備えたジャック１’とする場合には、角筒本体３ａと蓋体２１との境界に開口や凹溝が形成されずに相互が密着しているので、レーザー透過溶着若しくは超音波溶着を行って、両者の接合部を溶着して隙間なく一体化する。また、この溶着工程に前後して、図８に示すように、角筒本体３ａの底面側の封止用凹部３４、３４を防水性接着剤を付着し、硬化させた防水性接着層１２によって封止用凹部３４、３４を満たす。これにより、プラグ挿入開口部３１に連通するプラグ挿入室３０は、完全に密封され、プラグ挿入開口部３１から水が浸入しても、筐体内に浸透しない。
【００６９】
上述のジャック１は、ジャックの実装位置や取り付け形状によってアウターハウジング３の外形が異なるものとなっても、アウターハウジング３に収容されるインナーハウジング２やインナーハウジング２に取り付けられるバネ端子５〜９のバネ片部５Ａ〜９Ａを共用できる。図９は、上述のジャック１に用いられるインナーハウジング２とバネ端子５〜９のバネ片部５Ａ〜９Ａを用いて、プリント配線基板５１の凹部５１ａへアウターハウジング４１の一部を収容するいわゆるミッドマウントタイプの第２の実施の形態に係るジャック４０の斜視図である。
【００７０】
第２の実施の形態のジャック４０において、第１の実施の形態に係るジャック１と同一若しくは同一に作用する構成には、同一の番号を付してその説明を省略する。ジャック４０のアウターハウジング４１は、直方体状の底面側が左右に膨出するフランジ部４１ａとなったＴ字状本体４２とその前方に突出する円筒状スリープ３ｂとから構成され、Ｔ字状本体４２内は、プラグ挿入孔３３に連通するプラグ挿入室３０となっている。Ｔ字状本体４２の下部は、プリント配線基板５１の凹部５１ａに游嵌され、フランジ部４１ａが凹部５１ａの周囲のプリント配線基板５１に載置される。従って、この実施の形態では、アウターハウジング４１の平面側と底面側が、アウターハウジング３と逆転し、アウターハウジング４１の平面側に脚部貫通孔３３や封止用凹部３４、３４が形成される。
【００７１】
第１チップ端子４５、第２チップ端子４６、第１リング端子４７、第２リング端子４８及びスリーブ端子４９からなる各バネ端子４５〜４９は、それぞれ対となるバネ片部５Ａ〜９Ａと、コの字状の脚部４５Ｂ〜４９Ｂとから構成される。脚部４５Ｂ〜４９Ｂの圧入板部は、脚部５Ｂ〜９Ｂの圧入板部と同一形状の圧入板部５Ｂ１〜９Ｂ１であり、半田接続部４５Ｂ２〜４９Ｂ２が下向きにＬ字状に折り曲げられて圧入板部５Ｂ１〜９Ｂ１の上端に一体に連結することにより、脚部４５Ｂ〜４９Ｂの全体が下向きコの字状に形成される。コの字状に下向きに形成された脚部４５Ｂ〜４９Ｂの先端は、フランジ部４１ａと凹部５１ａの周囲のプリント配線基板５１を貫通してその背面側の導電パターンに半田接続される。
【００７２】
このジャック４０は、ジャック１のアウターハウジング３にフランジ部４１ａを突設してアウターハウジング４１とするとともに、各バネ端子５〜９の脚部５Ｂ〜９Ｂをコの字状として脚部４５Ｂ〜４９Ｂとしただけであり、他の全ての部品や構造を共用することができる。
【００７３】
上述の各実施の形態では、接続するプラグの電極数に応じて、５本のバネ端子（５〜９、４５〜４９）を取り付けたジャック１、４０で説明したが、バネ端子の種類や数は上述の例に限らない。
【００７４】
また、防水機能を備えたジャック１’とするために、蓋体２１と角筒本体３ａの背面との境界をレーザー透過溶着若しくは超音波溶着で密封する例で説明したが、防水接着剤を境界に沿って付着させて密封するものであってもよい。
【産業上の利用可能性】
【００７５】
防水機能を備えたジャックに適している。
【符号の説明】
【００７６】
１、４０    ジャック
２          インナーハウジング
３          アウターハウジング
４          プラグ挿入経路
５〜９      バネ端子
５Ａ〜９Ａ  バネ片部
５Ｂ〜９Ｂ  脚部
２１        蓋体
２２        端子支持部
２３        位置決め凹部
３０        プラグ挿入室
３２        背面側開口部
３３        脚部貫通孔
３４        封止用凹部
４５〜４９  バネ端子
【図１】
2017041394.tif 000003
【図２】
2017041394.tif 000004
【図３】
2017041394.tif 000005
【図４】
2017041394.tif 000006
【図５】
2017041394.tif 000007
【図６】
2017041394.tif 000008
【図７】
2017041394.tif 000009
【図８】
2017041394.tif 000010
【図９】
2017041394.tif 000011
【図１０】
2017041394.tif 000012
【図１１】
2017041394.tif 000013
【図１２】
2017041394.tif 000014